(57)【要約】【課題】接続作業の効率化や省力化と共に、接続ミスの低減を図ることができる音声入力接続装置を提供すること。【解決手段】ミキサー１０のミキサー部１１の前段に配置されてマイクロホンからの音声信号を受け渡す音声入力接続装置１２は、マイクロホンを接続する複数の入力接続部１３と、入力接続部１３をミキサー部１１に接続する複数本の接続線１４と、入力接続部１３を介してマイクロホンから入力された音声信号の音声認識処理を行う音声認識部１５と、複数の入力接続部１３とミキサー部１１の各チャンネルとの間の接続経路を切り替えるマトリックス部１６と、音声認識部１５の音声認識結果に基づいてマトリックス部１６による入力接続部１３とミキサー部１１のチャンネルの接続組合せの切替制御を行うマトリックス制御部１７とを備えている。【選択図】      図１
2004198804.tif 000002
【特許請求の範囲】
【請求項１】
音声入力装置を接続する複数の入力接続部と、音声処理装置に接続する複数の出力接続部とを備えて、前記音声入力装置からの音声信号を前記入力接続部に接続されている出力接続部を介して前記音声処理装置に受け渡す音声入力接続装置であって、
前記入力接続部から入力された音声信号の音声認識処理を行う音声認識部と、前記音声認識部による音声認識結果に基づいて前記入力接続部および前記出力接続部の間の接続を切り替える接続切替部とを備えることを特徴とする音声入力接続装置。
【請求項２】
音声入力装置を接続する複数の入力接続部と、音声処理装置に接続する複数の出力接続部とを備えて、前記音声入力装置からの音声信号を前記音声処理装置に受け渡す音声入力接続装置であって、
前記入力接続部から入力された音声信号の音声認識処理を行う音声認識部と、前記出力接続部または前記入力接続部に対応する情報表示部と、前記音声認識部による音声認識結果に基づいて前記情報表示部に情報を表示させる表示制御部とを備えることを特徴とする音声入力接続装置。
【請求項３】
音声入力装置を接続する複数の入力接続部と、音声処理装置に接続する複数の出力接続部とを備えて、前記音声入力装置からの音声信号を前記入力接続部に接続されている出力接続部を介して前記音声処理装置に受け渡す音声入力接続装置であって、
前記入力接続部から入力された音声信号の音声認識処理を行う音声認識部と、前記音声認識部による音声認識結果に基づいて前記入力接続部および前記出力接続部の間の接続を切り替える接続切替部と、前記出力接続部または前記入力接続部に対応する情報表示部と、前記音声認識部による音声認識結果に基づいて前記情報表示部に情報を表示させる表示制御部とを備えることを特徴とする音声入力接続装置。
【発明の詳細な説明】
【０００１】
【発明の属する技術分野】
本発明は、音声入力接続装置に関し、詳しくは、複数の音声入力装置を人手によらずに簡易にセッティングすることができるものに関する。
【０００２】
【従来の技術】
従来より、特許文献１に示すように、複数本のマイクロホン（音声入力装置）を使用して、各マイクロホンから入力された音声を会場内に拡声したり、録音することなどが行われており、この場合には、各マイクロホンを特定して、入力音声を処理する装置に受け渡す必要がある。
【０００３】
このことから、例えば、図７に示すように、会場で使用される各マイクロホン１〜６を調整室内のミキサー７の音声入力接続装置に接続するときには、会場にいる人が使用するマイクロホンを特定すると共に接続するチャンネルを調整室にいる人に指示することにより、マイクロホンの接続作業を行っている。なお、図７において、マイクロホン１〜４は有線接続されており、マイクロホン５、６はアンテナ８により音声信号を受信するように無線（コードレス）接続されている。
【０００４】
【特許文献１】
特許第３２１６８５２号公報
【０００５】
【発明が解決しようとする課題】
しかしながら、このような従来の音声入力接続装置にあっては、マイクロホン１〜６を使用する場所と、ミキサー７を操作する場所とは離れているため、少なくとも会場と調整室のそれぞれに一人づつの作業員が必要になってしまうとともに、意思がうまく伝わらなかった場合には接続ミスが発生してしまう、という問題があった。
【０００６】
本発明は、このような問題を解決するためになされたもので、接続作業の効率化や省力化と共に、接続ミスの低減を図ることができる、音声入力接続装置を提供するものである。
【０００７】
【課題を解決するための手段】
本発明の音声入力接続装置は、音声入力装置を接続する複数の入力接続部と、音声処理装置に接続する複数の出力接続部とを備えて、前記音声入力装置からの音声信号を前記入力接続部に接続されている出力接続部を介して前記音声処理装置に受け渡す音声入力接続装置であって、前記入力接続部から入力された音声信号の音声認識処理を行う音声認識部と、前記音声認識部による音声認識結果に基づいて前記入力接続部および前記出力接続部の間の接続を切り替える接続切替部とを備える構成を有している。
【０００８】
この構成により、接続されたマイクロホンなどから入力された音声が認識されて、音声処理装置に受け渡すための入力と出力との間の接続が切り替えられる。
したがって、例えば、一人の作業員が、会場内のマイクロホンから接続するチャンネルを音声入力することにより、各マイクロホンを所望のチャンネルに接続することができ、接続作業の効率化や省力化と共に、接続ミスの低減を図ることができる。
【０００９】
本発明の音声入力接続装置は、音声入力装置を接続する複数の入力接続部と、音声処理装置に接続する複数の出力接続部とを備えて、前記音声入力装置からの音声信号を前記音声処理装置に受け渡す音声入力接続装置であって、前記入力接続部から入力された音声信号の音声認識処理を行う音声認識部と、前記出力接続部または前記入力接続部に対応する情報表示部と、前記音声認識部による音声認識結果に基づいて前記情報表示部に情報を表示させる表示制御部とを備える構成を有している。
【００１０】
この構成により、接続されたマイクロホンなどから入力された音声が認識されて、音声処理装置に受け渡すための入力または出力に対応する情報が表示される。したがって、例えば、一人の作業員が、会場内のマイクロホンから表示させたい内容の音声入力をすることにより、接続したマイクロホンに関する表示をすることができ、接続作業の効率化や省力化と共に、接続ミスの低減を図ることができる。
【００１１】
本発明の音声入力接続装置は、音声入力装置を接続する複数の入力接続部と、音声処理装置に接続する複数の出力接続部とを備えて、前記音声入力装置からの音声信号を前記入力接続部に接続されている出力接続部を介して前記音声処理装置に受け渡す音声入力接続装置であって、前記入力接続部から入力された音声信号の音声認識処理を行う音声認識部と、前記音声認識部による音声認識結果に基づいて前記入力接続部および前記出力接続部の間の接続を切り替える接続切替部と、前記出力接続部または前記入力接続部に対応する情報表示部と、前記音声認識部による音声認識結果に基づいて前記情報表示部に情報を表示させる表示制御部とを備える構成を有している。
【００１２】
この構成により、接続されたマイクロホンなどから入力された音声が認識されて、音声処理装置に受け渡すための入力と出力との間の接続が切り替えられるとともに、音声処理装置に受け渡すための入力または出力に対応する情報が表示される。したがって、例えば、一人の作業員が、会場内のマイクロホンから接続するチャンネルを音声入力することにより、各マイクロホンを所望のチャンネルに接続することができるとともに、接続したマイクロホンに関する表示をすることができ、接続作業の効率化や省力化と共に、接続ミスの低減を図ることができる。
【００１３】
【発明の実施の形態】
以下、本発明を図面に基づいて説明する。図１および図２は本発明に係る音声入力接続装置の第１実施形態を適用したミキサーの一例を示す図である。
【００１４】
図１において、ミキサー１０は、入力音声の調整を行うミキサー部（音声処理装置）１１の前段にマイクロホンからの音声信号を受け渡す音声入力接続装置１２を配置して、複数のマイクロホン（音声入力装置）を接続することができるように構成されており、音声入力接続装置１２は、複数の入力接続部１３と、複数の接続線（出力接続部）１４と、音声認識部１５と、マトリックス部１６と、マトリックス制御部１７とを備えている。
【００１５】
入力接続部１３は、有線または無線のマイクロホンから延長されてきたジャックを差し込んで接続することのできる接続端子であり、接続線１４は、入力接続部１３とミキサー部１１の各チャンネル（ｃｈ）との間を電気的に接続する導電性電線である。
【００１６】
音声認識部１５は、接続線１４のそれぞれで伝送される電気信号を監視することができるように接続されており、入力接続部１３に接続された各マイクロホンからの入力音声信号の音声認識処理を行う。
【００１７】
マトリックス部１６は、接続線１４束の途中に介装されており、複数の入力接続部１３とミキサー部１１の各チャンネルとの間の接続経路を切り替えることができる。
【００１８】
マトリックス制御部１７は、音声認識部１５の音声認識結果に基づいてマトリックス部１６による入力接続部１３とミキサー部１１のチャンネルの接続組合せの切替制御を行う。すなわち、マトリックス部１６およびマトリックス制御部１７により接続切替部が構成されている。
【００１９】
具体的には、図２のフローチャートに示すように、ミキサー１０は、電源が投入されて、入力チャンネルの関連付けモードの開始を指示するボタンが押下されると、入力接続部１３を介して入力される信号レベルを接続線１４の全てについて監視し（ステップＳ１１）、音声レベルの入力信号を確認することができた場合には（ステップＳ１２）、音声入力のあった入力接続部１３を特定するとともに入力音声の認識処理を行って（ステップＳ１３）、入力音声が「１〜６チャンネル」または「終了」という言葉を含んでチャンネルの選択またはモード終了に関する情報であるか否かを確認し（ステップＳ１４）、いずれも含まれていない場合には、関係のない入力チェックなどであると判断してステップＳ１１に戻るが、「１〜６チャンネル」を含む場合には、マイクロホンを介して音声を入力された入力接続部１３をミキサー部１１の該当するチャンネルに接続するようにマトリックス部１６内のマトリックス制御を行って接続経路を切り替えることにより、マイクロホンの接続組合せを所望のチャンネルに設定し、マイクロホンと入力チャンネルとを関連付けてステップＳ１１に戻る（ステップＳ１５）一方、「終了」を含む場合には、入力チャンネルの関連付けモードを終了する。
【００２０】
したがって、ミキサー１０は、チャンネルを意識することなく、取り敢えずマイクロホンを入力接続部１３に接続することができ、入力チャンネルの関連付けモードの指示ボタンを押下した後には、調整室に作業員が残っていることを強制することなく、配置されたマイクロホンから対応付けしたいチャンネル数を音声入力するだけで、そのマイクロホンを所望のミキサー部１１の入力チャンネルに関連付けすることができる。
【００２１】
このように本実施形態においては、一人の作業員でも、例えば、会場内のマイクロホンから接続したいチャンネルを音声入力することにより、調整室の作業員に依頼することなく、各マイクロホンを所望のミキサー部１１の入力チャンネルに接続することができる。したがって、接続作業の効率化や省力化と共に、接続ミスを低減させることができる。
【００２２】
次に、図３および図４は本発明に係る音声入力接続装置の第２実施形態を適用したミキサーの一例を示す図である。なお、本実施形態では、上述実施形態と同様な構成には同一の符号を付して特徴部分を説明する。
【００２３】
図３において、ミキサー２０は、ミキサー部１１の前段に音声入力接続装置２２を配置して、複数のマイクロホンを接続することができるように構成されており、音声入力接続装置２２は、複数の入力接続部１３と、複数の接続線１４と、音声認識部１５と、複数の情報表示部２３と、表示制御部２４とを備えている。
【００２４】
情報表示部２３は、入力接続部１３および接続線１４のそれぞれに対応するように接続されており、表示制御部２４から送られてきた情報を表示出力する、例えば液晶表示器により構成されている。
【００２５】
表示制御部２４は、音声認識部１５の音声認識結果に基づく文字情報を情報表示部２３に送って表示出力させる制御を行う。
【００２６】
具体的には、図４のフローチャートに示すように、ミキサー２０は、電源投入と、用途の表示モードの開始を指示するボタンの押下の後に、監視する接続線１４のいずれかで音声レベルの入力信号を確認することができた場合には（ステップＳ１１、Ｓ１２）、音声入力のあった入力接続部１３の特定および入力音声の認識処理を行って（ステップＳ１３）、入力音声が「用途」または「終了」という言葉であって、マイクロホン（チャンネル）の用途の入力またはモード終了を指示するものであるか否かを確認し（ステップＳ２４）、いずれでもない場合には、関係のない入力チェックなどであると判断してステップＳ１１に戻るが、「用途」という音声入力であった場合には、音声レベルの信号の入力を待って（ステップS２５）、「用途」に続けて入力される音声信号の認識処理結果をテキスト情報に変換して情報表示部２３に送出することにより、音声入力したマイクロホンを特定する情報を表示出力させて、ステップＳ１１に戻る（ステップＳ２６）一方、「終了」という音声入力さあった場合には、用途の表示モードを終了する。
【００２７】
したがって、ミキサー２０は、接続されたマイクロホンをミキサー部１１のチャンネルにより特定するのではなく、用途の表示モードの指示ボタンを押下した後に、取り敢えず入力接続部１３に接続されたマイクロホンから「用途」に続けて、例えば、「司会」という音声入力をすることにより、調整室に残っている作業員にマイクロホンを特定する情報を記入することを強制することなく、マイクロホンを接続されたミキサー部１１のチャンネル（入力接続部や出力接続部）に対応する情報表示部２３に「シカイ」という文字情報を表示させることができ、ミキサー部１１のチャンネルをマイクロホンを特定する用途に関連付けすることができる。
【００２８】
このように本実施形態においては、一人の作業員でも、例えば、会場内のマイクロホンから用途など特定するための音声を入力することにより、調整室の作業員に依頼することなく、ミキサー部１１の各チャンネルに接続したマイクロホンを特定する用途などを対応付けして表示することができる。したがって、接続作業の効率化や省力化と共に、接続ミスを低減させることができる。
【００２９】
次に、図５および図６は本発明に係る音声入力接続装置の第３実施形態を適用したミキサーの一例を示す図である。なお、本実施形態でも、上述実施形態と同様な構成には同一の符号を付して特徴部分を説明する。
【００３０】
図５において、ミキサー３０は、ミキサー部１１の前段に音声入力接続装置３２を配置して、複数のマイクロホンを接続することができるように構成されており、音声入力接続装置３２は、複数の入力接続部１３と、複数の接続線１４と、音声認識部１５と、マトリックス部１６と、マトリックス制御部１７と、複数の情報表示部２３と、表示制御部２４とを備えている。
【００３１】
このため、ミキサー３０は、音声認識部１５の音声認識結果に基づいて、マトリックス制御部１７による入力接続部１３とミキサー部１１のチャンネルの接続組合せの切替制御が行われるとともに、表示制御部２４による情報表示部２３での文字情報の表示出力が行われる。
【００３２】
具体的には、図６のフローチャートに示すように、ミキサー３０は、電源投入と、入力設定モードの開始を指示するボタンの押下の後に、監視する接続線１４のいずれかで音声レベルの入力信号を確認することができた場合には（ステップＳ１１、Ｓ１２）、音声入力のあった入力接続部１３の特定および入力音声の認識処理を行って（ステップＳ１３）、入力音声が「１〜６チャンネル」または「終了」という言葉を含んでいない場合にはステップＳ１１に戻り、「終了」を含んでいる場合にはこの入力設定モードを終了させるが、「１〜６チャンネル」を含む場合には（ステップＳ１４）、音声入力されたマイクロホンの入力接続部１３をミキサー部１１の該当チャンネルに接続するマトリックス制御により接続経路（接続組合せ）の切替設定を行って、そのマイクロホンと入力チャンネルの関連付けを行う（ステップＳ１５）。
【００３３】
次いで、このミキサー３０は、既に、マイクロホンの接続を特定指示する音声入力がなされているので、特に「用途」という音声入力を要求することなく、続けて入力される音声をそのマイクロホンの用途を特定する情報として、その入力音声信号の認識処理結果の変換テキスト情報を情報表示部２３に表示出力させてステップＳ１１に戻る（ステップＳ２５、Ｓ２６）。
【００３４】
したがって、ミキサー３０は、調整室に作業員が残ることを強制することなく、取り敢えず接続したマイクロホンを所望のミキサー部１１の入力チャンネルに関連付けすることができるとともに、そのマイクロホンの用途などの文字情報を対応付けして表示させることができ、ミキサー部１１の各チャンネルに接続したマイクロホンを特定することができる。
【００３５】
このようにホン実施形態においては、上記第１、第２の実施形態の作用効果を同時に得ることができる。
【００３６】
なお、上述実施形態では、音声入力接続装置と音声処置装置とを内蔵するミキサーを一例に説明するが、音声処理装置に接続するための出力接続部を接続端子により構成することにより、別体に構築されているものにも適用できることはいうまでもない。
【００３７】
【発明の効果】
以上説明したように、本発明は、接続されたマイクロホンなどの音声入力装置から入力された音声を認識して、音声処理装置に受け渡すための入力と出力との間の接続を切り替えることができるので、例えば、一人の作業員が、会場内のマイクロホンから接続するチャンネルを音声入力することにより、各マイクロホンを所望のチャンネルに接続することができる。したがって、接続作業の効率化や省力化と共に、接続ミスの低減を図ることができる、という優れた効果を有する音声入力接続装置を提供することができる。
【図面の簡単な説明】
【図１】本発明に係る音声入力接続装置の第１実施形態を適用したミキサーの一例を示す概略全体構成図
【図２】本発明に係る音声入力接続装置の第１実施形態による接続制御を示すフローチャート
【図３】本発明に係る音声入力接続装置の第２実施形態を適用したミキサーの一例を示す概略全体構成図
【図４】本発明に係る音声入力接続装置の第２実施形態による接続制御を示すフローチャート
【図５】本発明に係る音声入力接続装置の第３実施形態を適用したミキサーの一例を示す概略全体構成図
【図６】本発明に係る音声入力接続装置の第３実施形態による接続制御を示すフローチャート
【図７】本発明の課題を説明するための接続図
【符号の説明】
１０、２０、３０ ミキサー
１１ ミキサー部
１２、２２、３２ 音声入力接続装置
１３ 入力接続部
１４ 接続線
１５ 音声認識部
１６ マトリックス部
１７ マトリックス制御部
２３ 情報表示部
２４ 表示制御部
【図１】
2004198804.tif 000003
【図２】
2004198804.tif 000004
【図３】
2004198804.tif 000005
【図４】
2004198804.tif 000006
【図５】
2004198804.tif 000007
【図６】
2004198804.tif 000008
【図７】
2004198804.tif 000009